(57)【特許請求の範囲】
【請求項１】
モータと、
前記モータにより回転するハンマーと、
前記ハンマーにより回転方向に打撃されるアンビルと、
前記モータを収容する本体ハウジングと、
前記本体ハウジングに延設されるハンドルと、
前記ハンドルの下部に配置され、電源となる充電池と、
前記ハンマーを収容して前記本体ハウジングの前方に固定されるハンマーケースと、を有し、
前記ハンマーケースは、前方へ先細りとなるテーパ部と、前記テーパ部から前方へ延びる小径の軸受部とを含み、
前記軸受部には、前記アンビルを軸支する軸受が保持されており、
前記軸受部と係合するクランプ部を有して作業者が把持するサイドハンドルを有することを特徴とするインパクト工具。
【請求項２】
前記クランプ部は、内径を拡縮可能なバンドであって、
前記バンドが前記軸受部を巻回して緊締されることを特徴とする請求項１に記載のインパクト工具。
【請求項３】
前記軸受部の外周に、前記ハンマーケースの放熱用の複数のストッパが、周方向に所定間隔をおいて形成され、前記バンドの内周には、前記軸受部の巻回状態で前記ストッパに嵌合するストッパ溝が形成されていることを特徴とする請求項２に記載のインパクト工具。
【請求項４】
前記クランプ部は、互いに接離可能な第１腕部と第２腕部とからなり、
前記第１腕部と前記第２腕部とで前記軸受部を上側から把持することを特徴とする請求項１に記載のインパクト工具。
【請求項５】
前記ハンマーケースの下面側には、前記アンビルの前方を照射するライトが設けられて、前記クランプ部は、前記ライトより上方に位置していることを特徴とする請求項１乃至４の何れかに記載のインパクト工具。
【発明の詳細な説明】
【技術分野】
【０００１】
本発明は、インパクトドライバやインパクトレンチ等のインパクト工具に関する。
【背景技術】
【０００２】
インパクトドライバやインパクトレンチ等のインパクト工具は、モータと、モータの駆動に伴って回転するスピンドルと、スピンドルにカム結合されるハンマーとを備え、ハンマーを含む打撃機構をハンマーケースに収容して、ハンマーを、ハンマーケースの前端で軸支される最終出力軸となるアンビルに係合させてなり、アンビルのトルクが増加すると、スピンドルの回転をハンマーの間欠的な回転打撃力（インパクト）に変換してアンビルに付与可能となっている。ハンマーケースには、サイドハンドルの装着バンドが巻回されることでサイドハンドルが装着可能となっており、作業者は、一方の手で本体部から下方に延設されるハンドルを支持し、他方の手でサイドハンドルを把持してインパクト工具を支持することになる（例えば非特許文献１）。
【先行技術文献】
【非特許文献】
【０００３】
【非特許文献１】マキタ総合カタログ２０１４−１０、インパクトレンチＴＷ１０００、［平成２６年１１月１７日検索］、インターネット＜URL:http://www.makita.co.jp/product/ecatalog/sougou/index_f.html#30＞
【発明の概要】
【発明が解決しようとする課題】
【０００４】
このようなインパクト工具において、ハンマーケースは先細りのテーパ状や釣り鐘状に形成されているため、サイドハンドルの装着バンドを巻回するためにはハンマーケースの全長を長くする必要があり、コンパクト化の障害となる。また、ハンマーケースの下面側に照明用のライトが設けられていると、装着バンドがライトの光を妨げて照明機能を低下させてしまう。
【０００５】
そこで、本発明は、コンパクト化を阻害することなく、且つハンマーケースの下面側に照明用のライトがあっても照明機能を低下させることなくサイドハンドルを使用できるインパクト工具を提供することを目的としたものである。
【課題を解決するための手段】
【０００６】
上記目的を達成するために、請求項１に記載の発明は、モータと、モータにより回転するハンマーと、ハンマーにより回転方向に打撃されるアンビルと、モータを収容する本体ハウジングと、本体ハウジングに延設されるハンドルと、ハンドルの下部に配置され、電源となる充電池と、ハンマーを収容して本体ハウジングの前方に固定されるハンマーケースと、を有し、ハンマーケースは、前方へ先細りとなるテーパ部と、テーパ部から前方へ延びる小径の軸受部とを含み、軸受部には、アンビルを軸支する軸受が保持されており、軸受部と係合するクランプ部を有して作業者が把持するサイドハンドルを有することを特徴とするものである。
請求項２に記載の発明は、請求項１の構成において、クランプ部は、内径を拡縮可能なバンドであって、バンドが軸受部を巻回して緊締されることを特徴とするものである。
請求項３に記載の発明は、請求項２の構成において、軸受部の外周に、ハンマーケースの放熱用の複数のストッパが、周方向に所定間隔をおいて形成され、バンドの内周には、軸受部の巻回状態でストッパに嵌合するストッパ溝が形成されていることを特徴とするものである。
請求項４に記載の発明は、請求項１の構成において、クランプ部は、互いに接離可能な第１腕部と第２腕部とからなり、第１腕部と第２腕部とで軸受部を上側から把持することを特徴とするものである。
請求項５に記載の発明は、請求項１乃至４の何れかの構成において、ハンマーケースの下面側には、アンビルの前方を照射するライトが設けられて、クランプ部は、ライトより上方に位置していることを特徴とするものである。
【発明の効果】
【０００７】
本発明によれば、コンパクト化を阻害することなく、且つハンマーケースの下面側に照明用のライトがあっても照明機能を低下させることなくサイドハンドルを使用できる。
特に、請求項１に記載の発明によれば、上記効果に加えて、アンビルの軸受が配置される部分を軸受部としたことで、小径の軸受部に対してサイドハンドルが装着可能となり、サイドハンドルを取り付けても突出部分が少なくなって取扱性に優れる。
請求項２に記載の発明によれば、請求項１の効果に加えて、クランプ部を、内径が拡縮可能なバンドとしているので、ハンマーケースへの緊締時の信頼性が高くなる。
請求項４に記載の発明によれば、請求項１の効果に加えて、第１腕部と第２腕部とで被クランプ部を上側から把持することで、ハンマーケースの大径部であっても下側に張り出すことなくサイドハンドルが装着可能となる。
【図面の簡単な説明】
【０００８】
【図１】形態１のインパクトレンチの斜視図である。
【図２】形態１のサイドハンドルとインパクトレンチとの分解斜視図である。
【図３】形態１のインパクトレンチの背面図である。
【図４】形態１のインパクトレンチの縦断面図である。
【図５】形態１のインパクトレンチの平面図（一部を水平断面で示す）である。
【図６】図４のＡ−Ａ線断面図である。
【図７】形態２のインパクトレンチの斜視図である。
【図８】形態２のサイドハンドルとインパクトレンチとの分解斜視図である。
【図９】形態２のインパクトレンチの背面図である。
【図１０】形態２のインパクトレンチの縦断面図である。
【図１１】図１０のＢ−Ｂ線断面図である。
【発明を実施するための形態】
【０００９】
以下、本発明の実施の形態を図面に基づいて説明する。
［形態１］
図１は、インパクト工具の一例であるインパクトレンチの斜視図、図２はサイドハンドルとインパクトレンチとの分解斜視図、図３は背面図、図４は縦断面図である。このインパクトレンチ１は、前後方向に延びる本体２に、ハンドル３を下向きに形成した側面視Ｔ字状を有し、本体２の先端からは最終出力軸となるアンビル４が突出し、ハンドル３の下端に設けた装着部５には、電源となる複数の充電池を収容したバッテリーパック６が装着されている。
本体２のハウジングは、ブラシレスモータ８を収容する後方部分にハンドル３を延設した合成樹脂製の本体ハウジング７と、本体ハウジング７の前方に組み付けられて打撃機構１０を収容する金属製のハンマーケース９とからなる。本体ハウジング７は、左右一対の半割ハウジング７ａ，７ｂを左右方向のネジ１１，１１・・によって組み付けて形成される。
【００１０】
本体ハウジング７内でハンマーケース９の後方には、ハンマーケース９の後端に嵌合する金属製で後方へ凸状となるギヤハウジング１２が、図５に示すように、各半割ハウジング７ａ，７ｂの内面に突設された保持リブ１３，１３・・によって保持されている。このギヤハウジング１２の外周に設けたリブ１４を、本体ハウジング７の前端外面で正面視四角形状の角部に位置するように突設した後ボス１５，１５・・と、同じくハンマーケース９の後端外面で正面視四角形状の角部に位置するように突設した前ボス１６，１６・・との間に位置させて、後方から４本のボルト１７，１７・・で結合することで、本体ハウジング７とギヤハウジング１２、ハンマーケース９とが一体化される。このように金属製のハンマーケース９に対してボルト１７をねじ込むことで、本体ハウジング７とハンマーケース９とが強固に結合され、耐久性も向上する。また、本体ハウジング７は半割ハウジング７ａ，７ｂで形成されるので、内部の配線が容易に行える。
【００１１】
本体２には、動力伝達要素となるブラシレスモータ８、スピンドル１８、打撃機構１０、アンビル４が、後方から順番に配置されている。
まず、ブラシレスモータ８は、ステータ１９とその内側のロータ２０とからなるインナロータ型で、ステータ１９は、複数の積層鋼板から形成される筒状のステータコア２１と、ステータコア２１の軸方向前後の端面にそれぞれ設けられる前インシュレータ２２及び後インシュレータ２３と、前後インシュレータ２２，２３を介してステータコア２１に巻回される６つのコイル２４，２４・・と、を有する。後インシュレータ２３には、ロータ２０に設けた永久磁石３５の位置を検出して回転検出信号を出力する３つの回転検出素子（図示略）を搭載したセンサ回路基板２５と、一本巻きされるコイル２４，２４間の巻線にヒュージングされるヒュージング端子２７を対角同士で短絡する３つの板金部材２８を備えた短絡部材２６とが取り付けられている。この短絡部材２６によってコイル２４はパラ巻きでデルタ結線される。
【００１２】
ここでのステータ１９は、本体ハウジング７の半割ハウジング７ａ，７ｂの内面へそれぞれ周方向に突設した支持リブ２９，２９によって外周が保持されると共に、半割ハウジング７ａ，７ｂの内面に突設された図示しない突起が、後インシュレータの側面に形成した図示しない凹部にそれぞれ嵌合する。各支持リブ２９には、前後に所定間隔をおいて下方へ突出し、先端を本体ハウジング７の内面に近接させる左右方向の板リブ２９ａ，２９ａが連設されている。この板リブ２９ａは、センサ回路基板２５から引き出されてロータ２０の回転検出信号を後述する制御回路基板７８へ送信する図示しないリード線と、短絡部材２６から引き出されて制御回路基板７８から各板金部材２８及びヒュージング端子２７を介してコイル２４へ電力を供給する図示しないリード線とを本体ハウジング７の内面に沿ってガイドするものである。
【００１３】
この板リブ２９ａの下端が近接する本体ハウジング７の下側部分は、ブラシレスモータ８から下方へ離れた位置でハンドル３の連設部分から後方へ行くに従って緩やかに上り傾斜して、ハンドル３を把持した際の手に上から当接してそのまま本体ハウジング７の後部を手で支持可能とする手受け部７ｃとなっている。
また、前インシュレータ２２の外周で左右に設けた凹部３０に、半割ハウジング７ａ，７ｂの内面に突設された前突起３１が係合してステータコア２１の前面に当接し、後突起３２が短絡部材２６の後面に当接する。こうしてステータ１９は、本体ハウジング７内に軸方向及び周方向へ位置決めされた状態で収容される。
【００１４】
一方、ロータ２０は、軸心に位置する回転軸３３と、回転軸３３の周囲に配置され、複数の鋼板を積層してなる略円筒状のロータコア３４と、ロータコア３４の内部に固定される４つの板状の永久磁石（焼結磁石）３５，３５・・とを有する。回転軸３３の後端は、本体ハウジング７の後部に保持された軸受３６に軸支され、前端は、ギヤハウジング１２に保持された軸受３７に軸支されて、ピニオン３８が形成された前端をギヤハウジング１２の前方へ突出している。回転軸３３における軸受３７の後方部位には、遠心ファン３９が取り付けられている。４０は、遠心ファン３９の位置で本体ハウジング７の左右の側面に形成された排気口、４１は、本体ハウジング７の後面に設けられた吸気口である（図３）。
【００１５】
さらに、ロータ２０において、ロータコア３４と遠心ファン３９との間には、前ストッパ４２が設けられている。この前ストッパ４２は、真鍮製でロータコア３４と同じ外径を有する円板で、ロータコア３４と同軸で回転軸３３に固着されている。一方、ロータコア３４と後側の軸受３６との間でセンサ回路基板２５の内側には、後ストッパ４３が設けられている。この後ストッパ４３は、真鍮製でロータコア３４よりも小さい外径を有する円板で、ロータコア３４と同軸で且つロータコア３４との間に隙間を空けた状態で回転軸３３に固着されている。但し、後ストッパ４３の外径は、４つの永久磁石３５で囲まれる内側円よりも大径となって、各永久磁石３５の後方に後ストッパ４３が位置するようになっている。
【００１６】
そして、ハンマーケース９とギヤハウジング１２とで囲まれる空間内には、スピンドル１８及び打撃機構１０が収容されている。スピンドル１８は、後部に３つの遊星歯車４５，４５・・を保持するキャリア部４４を一体に有し、後端軸心には有底孔４６が形成され、先端には小径部４７が形成されている。ハンマーケース９内でスピンドル１８は、後端がギヤハウジング１２に保持される軸受４８によって軸支され、その前方でギヤハウジング１２に保持されるインターナルギヤ４９に遊星歯車４５が噛合する。そして、前端の小径部４７がアンビル４の軸心に設けた挿入孔５０に同軸で挿入されることで、回転軸３３と同軸で回転可能に支持される。この状態で回転軸３３のピニオン３８は有底孔４６に後方から挿入されて３つの遊星歯車４５の中心で各遊星歯車４５に噛合する。
【００１７】
打撃機構１０は、スピンドル１８の前部に外装されたハンマー５１と、そのハンマー５１とスピンドル１８との間に設けたボール５２，５２と、ハンマー５１を前方へ付勢するコイルバネ５３とから構成される。ハンマー５１は、前面に一対の爪５４，５４を備えてアンビル４の後端に設けた一対のアーム５５，５５に回転方向で係合可能となっており、ボール５２は、スピンドル１８の外周面に設けたＶ字状のカム溝５６とハンマー５１の内周面に設けた山形溝５７との間に跨がって嵌合されて、スピンドル１８とハンマー５１とを回転方向で一体化させる。但し、カム溝５６に対するボール５２の転動範囲においてハンマー５１の相対回転及び前後移動が許容される。コイルバネ５３は、スピンドル１８に外装されて前端をハンマー５１の後面に設けたリング溝５８に挿入させる一方、後端をキャリア部４４の前面に当接させて、常態ではハンマー５１を、ボール５２がカム溝５６の前端中央及び山形溝５７の後端中央に位置する前進位置に付勢している。
【００１８】
ハンマーケース９は、後述する延設部７６のやや前方まで延びる大径部５９と、大径部５９から前方へ先細りとなるテーパ部６０と、テーパ部６０から前方へ延びる小径の軸受部６１とからなり、テーパ部６０と軸受部６１との連結部分には、軸受部６１の軸線と直交するリング状の平坦面６２が形成されている。また、平坦面６２から軸受部６１の後端外周にかけて、前後方向のストッパ６３，６３・・が、軸受部６１の周方向に所定間隔をおいて一体に形成されている。このストッパ６３は、後述するサイドハンドル９０が装着されない状態では、ハンマーケース９の放熱用の突起として作用する。さらに、ハンマーケース９の左右において、上下の前ボス１６，１６同士は、上下方向の中央が前方へ突出する肉厚の凸部６４によって連続しており、凸部６４の後部に、本体ハウジング７の左右においてギヤハウジング１２のリブ１４を越えて前方へ突出する突出片６５，６５が重合している。
【００１９】
アンビル４は、軸受部６１に保持される軸受メタル６６によってスピンドル１８と同軸で軸支されて、軸受部６１とアーム５５，５５との間に設けた規制リング６７によって前方への位置決めがなされている。アンビル４において、スピンドル１８の小径部４７が挿入される挿入孔５０には、軸受メタル６６の内側まで前方へ延びるグリス溜まり６８が延設され、アンビル４の外周には、リング状の案内溝６９が凹設されて、グリス溜まり６８と案内溝６９との間を半径方向のグリス供給孔７０で連結している。これにより、グリス溜まり６８のグリスをグリス供給孔７０を介して案内溝６９に供給して、軸受メタル６６とアンビル４との間の潤滑を図るようにしている。７１は、軸受メタル６６の前方で軸受部６１とアンビル４との間に設けられたシールリングで、アンビル４の先端には、図示しないソケットが嵌着される横断面四角形状の取付部７２が形成されている。
【００２０】
一方、ハンドル３の上部では、トリガ７４を前方へ突出させたスイッチ７３が設けられると共に、ブラシレスモータ８の正逆切替ボタン７５が設けられている。トリガ７４の上方で本体ハウジング７には、ハンマーケース９の下面を覆ってトリガ７４よりも前方へ突出する延設部７６が形成されて、延設部７６の先端左右に、アンビル４の前方を照射する照明用のライトとしてのＬＥＤ７７，７７が設けられている。このようにＬＥＤ７７を２つ設けたことで、照射範囲が広くなり、アンビル４に大きなソケットを装着しても作業箇所の照明が支障なく行える。
【００２１】
装着部５には、皿状のケース７９に保持されてブラシレスモータ８の制御用のスイッチング素子やマイコン等を搭載した制御回路基板７８が収容されている。制御回路基板７８には、打撃力の切替ボタンやバッテリの残容量表示ランプ等を有するスイッチパネル８０が設けられて、装着部５の前部に設けた窓８１を介して露出している。ハンドル３の下部と装着部５とは、ハンドル３の下端に突設した連結部８２に装着部５を形成する左右の半割部５ａ，５ｂを組み付けてネジ８３，８３で固定することで連結される。連結部８２と装着部５との間には弾性材８４が介在されて、ハンドル３から装着部５へ伝わる衝撃や振動を緩和可能としている。左側の半割部５ａには、正面視がＵ字状の吊り下げフック８５の一端がネジ８６によって固定されている。
【００２２】
バッテリーパック６は、装着部５に対して前方からスライドさせることでレール同士の嵌合で結合される構造で、結合と共に装着部５に設けた端子台８７の端子板がバッテリーパック５側の端子と電気的に接続される。８８は、バッテリーパック６の装着状態で装着部５に係止して抜け止めするフック、８９はバッテリーパック６の取り外し時にフック８８を解除するための解除ボタンである。
【００２３】
そして、ハンマーケース９の被クランプ部となる軸受部６１の外周には、サイドハンドル９０が装着される。このサイドハンドル９０は、軸受部６１を緊締するクランプ部としてのバンド９１と、グリップ９２と、バンド９１とグリップ９２とを連結するボルト９３とからなる。バンド９１は、軸受部６１の外径に略一致するリング状の内形状を有する帯状で、両端には、一直線上に位置する外筒９４と内筒９５とが一体に形成されている。バンド９１の内周で前後の端面際には、軸受部６１のストッパ６３，６３が嵌合可能なストッパ溝９６，９６・・が、ストッパ６３と同じ間隔で略全周に亘って形成されている。
【００２４】
グリップ９２は、一端側にフランジ９７を形成した中空状で、フランジ９７側の端部には、バンド９１の内筒９５に挿入される挿入部９８が同軸で突設されて、フランジ９７側の内部には、ナット９９が埋設されている。ボルト９３は、外筒９４と内筒９５とを貫通してグリップ９２の軸心を通ってナット９９に螺合され、六角頭部１００を外筒９４の外面に凹設した六角凹部１０１に嵌合させることで、外筒９４及び内筒９５に対して回り止めされた状態で外筒９４と内筒９５、グリップ９２を連結している。よって、グリップ９２を、バンド９１が回転しない状態でボルト９３がナット９９へねじ込まれる方向へ回転させると、六角頭部１００によって外筒９４と内筒９５とがグリップ９２側へ押圧され、内筒９５がグリップ９２の端部に当接して停止すると、外筒９４と内筒９５とが互いに接近することでバンド９１の内径を収縮させる。逆にボルト９３がナット９９から外れる方向へグリップ９２を回転させると、外筒９４と内筒９５との押圧が解除されて互いの離間方向への移動を許容してバンド９１の内径が拡開可能となる。樹脂製であるグリップ９２の表面には、熱可塑性エラストマ９２ａが一体に被覆されているので、ハンマーケース９からの振動がグリップ９２を介して手に伝わりにくくなっている。
【００２５】
以上の如く構成されたインパクトレンチ１においては、サイドハンドル９０を装着する際は、バンド９１の内径を拡開させた状態で、アンビル４をバンド９１に挿入させてバンド９１を前方からハンマーケース９の軸受部６１に外装させる。すると、バンド９１のストッパ溝９６に軸受部６１のストッパ６３が嵌合すると共に、バンド９１の後端面がハンマーケース９の平坦面６２に当接して回転及び後方への移動が規制される。ここでグリップ９２を回転操作してバンド９１を収縮させれば、バンド９１が軸受部６１を緊締し、グリップ９２を軸受部６１の上方で側方に突出させた姿勢でサイドハンドル９０の取付が完了する。よって、作業者は一方の手でハンドル３を把持し、他方の手でサイドハンドル９０のグリップ９２を把持することでインパクトレンチ１が支持可能となる。なお、グリップ９２の向きは左右逆であっても同じで、グリップ９２を側方でなく上方や下方へ傾けた向きでもストッパ溝９６とストッパ６３との嵌合で位置決めできる。
【００２６】
この状態でハンドル３を把持した手でトリガ７４を押し込み操作すると、スイッチ７３がＯＮしてバッテリーパック６の電源によってブラシレスモータ８が駆動する。すなわち、制御回路基板７８のマイコンが、センサ回路基板２５の回転検出素子から出力されるロータ２０の永久磁石３５の位置を示す回転検出信号を得てロータ２０の回転状態を取得し、取得した回転状態に応じて各スイッチング素子のＯＮ／ＯＦＦを制御し、ステータ１９の各コイル２４に対し順番に電流を流すことでロータ２０を回転させる。よって、回転軸３３が回転してキャリア部４４の遊星歯車４５を遊星運動させることでスピンドル１８が減速回転し、ボール５２を介してハンマー５１を回転させるため、ハンマー５１が係合するアンビル４が回転してソケットによるボルト等の締付が可能となる。
また、スイッチ７３のＯＮによって制御回路基板７８がＬＥＤ７７，７７を点灯させてソケットの前方を照射することになるが、サイドハンドル９０のバンド９１は小径の軸受部６１を巻回しているため、サイドハンドル９０がＬＥＤ７７，７７の光を遮ることがなく、作業箇所は確実に照明される。
【００２７】
締付が進んでアンビル４のトルクが高まると、ハンマー５１がコイルバネ５３の付勢に抗してボール５２をカム溝５６に沿って後方へ転動させながら後退し、爪５４がアーム５５から外れると、コイルバネ５３の付勢によってボール５２をカム溝５６に沿って前方へ転動させることでハンマー５１は回転しながら前進し、爪５４をアーム５５に再係合させてアンビル４に回転打撃力（インパクト）を発生させる。このインパクトを間欠的に繰り返すことでさらなる締付が行われる。このインパクトレンチ１での最大トルクは１０００Ｎｍ、バッテリーパック６を含めた重量は３．６ｋｇとなっているが、このようにトルクや重量が大きいものであってもサイドハンドル９０によって安定した支持が可能となる。。
一方、回転するロータ２０には、前後に前ストッパ４２と後ストッパ４３とが設けられているため、各永久磁石３５の前後方向の移動が規制され、ロータコア３４から抜け出ることが防止される。
【００２８】
このように、上記形態１のインパクトレンチ１によれば、ハンマーケース９の前端の軸受部６１に固定されるサイドハンドル９０を有することで、コンパクト化を阻害することなく、且つハンマーケース９の下面側に照明用のＬＥＤ７７があっても照明機能を低下させることなくサイドハンドルを使用できる。
特にここでは、軸受メタル６６が保持される軸受部６１がサイドハンドル９０の被クランプ部となっているので、小径の軸受部６１に対してサイドハンドル９０が装着可能となり、サイドハンドル９０を取り付けてもグリップ９２を除いて突出部分が少なくなり、取扱性に優れる。
また、クランプ部を内径が拡縮可能なバンド９１としているので、ハンマーケース９への緊締時の信頼性が高くなる。
【００２９】
なお、上記形態１において、バンドの形態は適宜変更可能で、バンドから外筒と内筒とを分離してバンドの両端を外筒と内筒とに係合させたり、ストッパとストッパ溝との数や間隔を変更したり、ストッパとストッパ溝とに代えて、軸受部の外周面とバンドの内周面とをローレット加工して回り止めを図ったり等することができる。
また、必ずしも軸受部にバンドを緊締する必要はなく、アンビルの軸受から軸方向へずれた位置にバンドによる被クランプ部を形成しても差し支えない。
【００３０】
［形態２］
次に、本発明の他の形態を説明する。但し、インパクトレンチ１の構造は形態１と同じであるので、サイドハンドルの形態について専ら説明を行い、同じ構成部には同じ符号を付して重複する説明は省略する。
図７〜１１に示すインパクトレンチ１において、サイドハンドル９０Ａは、ハンマーケース９の軸受部６１でなく被クランプ部となる大径部５９に取り付けられる。サイドハンドル９０Ａのクランプ部は、バンド形状ではなく、大径部５９の上半分から下半分の途中までの形状に合致する内形状を有する一対の第１腕部１０２及び第２腕部１０３を有し、この第１、第２腕部１０２，１０３を連結軸１０４を介してグリップ９２に連結している。第１、第２腕部１０２，１０３における大径部５９への当接部分には、大径部５９に設けた凸部６４が嵌合可能な溝１０５が凹設されている。
【００３１】
連結軸１０４は、第１、第２腕部１０２，１０３を貫通する第１軸１０６と、グリップ９２に固定される第２軸１０７とに分割されている。
第１軸１０６は、第１腕部１０２の外側から第１、第２腕部１０２，１０３を貫通するが、第１腕部１０２では、円形頭部１０８がクリップ１０９によって抜け止めされている。第２腕部１０３では、スプライン部１１０においてスプライン結合されて、回転規制された状態で軸方向へ移動可能となっている。第１軸１０６の先端にはネジ部１１１が形成されている。
第２軸１０７は、グリップ９２に挿入されて埋設リング１１８に圧入される埋設部１１２と、埋設部１１２に連設されてグリップ９２の端面から突出し、軸心に雌ネジ部１１４を形成した突出部１１３とからなり、突出部１１３を第２腕部１０３の貫通孔１１５に挿入した状態で第１軸１０６のネジ部１１１を雌ネジ部１１４に螺合することで、第１軸１０６と連結されている。突出部１１３の先端は、貫通孔１１５の奥でスプライン部１１０に当接してそれ以上の挿入が規制されるようになっている。
【００３２】
よって、第１、第２腕部１０２，１０３が回転しない状態でグリップ９２を、第１軸１０６が第２軸１０７の雌ネジ部１１４にねじ込まれる方向へ回転させると、スプライン部１１０によって回転規制される第１軸１０６が第２軸１０７にねじ込まれることで第１腕部１０２を第２腕部１０３側へ移動させる。第２腕部１０３は、第２軸１０７の突出部１１３がスプライン部１１０に当接することでグリップ９２側への移動が規制されるため、第１、第２腕部１０２，１０３同士は互いに近接する。逆にグリップ９２を、第１軸１０６が第２軸１０７の雌ネジ部１１４から外れる方向へ回転させると、第１軸１０６が外側へネジ送りされることで、第１、第２腕部１０２，１０３同士は互いに離間する。第１、第２腕部１０２，１０３の後面には、左右方向の支持ボス１１６，１１６がそれぞれ突設されて、両支持ボス１１６，１１６の間には、連結軸１０４と平行なガイドピン１１７の両端がそれぞれ遊挿されて、接離移動する第１、第２腕部１０２，１０３同士のねじれを規制している。
【００３３】
以上の如く構成されたインパクトレンチ１において、サイドハンドル９０Ａを装着する際は、第１、第２腕部１０２，１０３同士を離間させた状態で、ハンマーケース９の凸部６４の位置で大径部５９の上方から第１、第２腕部１０２，１０３を嵌合させる。ここでグリップ９２を回転操作して第１、第２腕部１０２，１０３同士を近接させれば、第１、第２腕部１０２，１０３が大径部５９を左右から緊締し、グリップ９２をハンマーケース９の上方で側方に突出させた姿勢でサイドハンドル９０Ａの取付が完了する。このとき第１、第２腕部１０２，１０３の溝１０５，１０５にハンマーケース９の凸部６４，６４が嵌合しているので、第１、第２腕部１０２，１０３の回転は規制される。よって、作業者は一方の手でハンドル３を把持し、他方の手でサイドハンドル９０Ａのグリップ９２を把持することでインパクトレンチ１が支持可能となる。
【００３４】
そして、トリガ７４の押し込みによって制御回路基板７８がＬＥＤ７７，７７を点灯させてソケットの前方を照射することになるが、サイドハンドル９０Ａの第１、第２腕部１０２，１０３は殆どハンマーケース９の上側に位置しているため、サイドハンドル９０ＡがＬＥＤ７７，７７の光を遮ることがなく、作業箇所は確実に照明される。
【００３５】
このように、上記形態２のインパクトレンチ１においても、コンパクト化を阻害することなく、且つハンマーケース９の下面側に照明用のＬＥＤ７７があっても照明機能を低下させることなくサイドハンドル９０Ａを使用できる。
特にここでは、クランプ部を、互いに接離可能な第１腕部１０２と第２腕部１０３とから形成して、第１腕部１０２と第２腕部１０３とでハンマーケース９の大径部５９を上側から把持するようにしているので、大径部５９であっても下側に張り出すことなくサイドハンドル９０Ａが装着可能となる。
【００３６】
なお、上記形態２において、第１腕部と第２腕部との形状は適宜変更可能で、ハンマーケースの下面側での肉厚が小さければ下端を大径部の下側まで延ばすこともできる。また、回り止めするハンマーケース側の凸部と第１、第２腕部側の溝とは、凹凸を逆にしてもよいし、複数の凹凸同士の係合としてもよい。
さらに、ハンマーケースの大径部を把持する場合に限らず、形態１のように前端の軸受部を第１腕部と第２腕部とで左右から把持することもできる。
連結軸も、第２腕部のスプライン部による回り止め以外に、形態１のように六角頭部を第１腕部に嵌合させた第１軸をグリップ側の第２軸に螺合させたり等してもよい。
【００３７】
そして、上記形態１，２に共通して、インパクト工具も、最大トルクが１０００Ｎｍ以上のものに限らず、例えば４００〜６００Ｎｍ、６００〜８００Ｎｍ、８００〜１０００Ｎｍといった範囲が最大トルクとなるものであってもよい。但し、８００〜１０００Ｎｍの範囲のものがサイドハンドルの装着による効果は顕著である。重量も、３．６ｋｇ以上でもよく、また、１．０〜２．０ｋｇ、２．０〜３．０ｋｇ、３．０〜３．６ｋｇのような軽量タイプのものであってもよい。但し、３．０〜３．６ｋｇの範囲のものがサイドハンドルの装着による効果は顕著である。
その他、モータがブラシレスでないインパクト工具や、交流電源を使用するインパクト工具等でもよいし、インパクト工具としてはレンチに限らず、アンビルをスピンドルに対して直角に設けたアングルインパクトレンチや、インパクトドライバ等であっても本発明は採用可能である。
【符号の説明】
【００３８】
１・・インパクトレンチ、２・・本体、３・・ハンドル、４・・アンビル、５・・装着部、６・・バッテリーパック、７・・本体ハウジング、８・・ブラシレスモータ、９・・ハンマーケース、１０・・打撃機構、１８・・スピンドル、１９・・ステータ、２０・・ロータ、３３・・回転軸、５１・・ハンマー、５９・・大径部、６１・・軸受部、６３・・ストッパ、６４・・凸部、６６・・軸受メタル、７６・・延設部、７７・・ＬＥＤ、９０，９０Ａ・・サイドハンドル、９１・・バンド、９２・・グリップ、９３・・ボルト、９６・・ストッパ溝、９９・・ナット、１０２・・第１腕部、１０３・・第２腕部、１０４・・連結軸、１０６・・第１軸、１０７・・第２軸。
【図１】
0006436744.tif 000002
【図２】
0006436744.tif 000003
【図３】
0006436744.tif 000004
【図４】
0006436744.tif 000005
【図５】
0006436744.tif 000006
【図６】
0006436744.tif 000007
【図７】
0006436744.tif 000008
【図８】
0006436744.tif 000009
【図９】
0006436744.tif 000010
【図１０】
0006436744.tif 000011
【図１１】
0006436744.tif 000012